(57)【特許請求の範囲】
【請求項１】
一面が開口(10)した箱体(１)内に、コネクタ(５)を具えた電動装置と、該電動装置に給電する給電体(２)を上下又は左右に設け、給電体(２)には電動装置のコネクタ(５)に嵌まるソケット(４)が電線(６)を介して設けられ、給電体はソケット(４)を開口(10)に向けて収納され、開口(10)と給電体(２)の間には、電線(６)が収納される空間(11)が形成された収納装置に於いて、
ソケット(４)又はコネクタ(５)の少なくとも一方には、他方に係合する爪片(40)が係脱自在に設けられ、爪片(40)はソケット(４)がコネクタ(５)に嵌合した状態にて空間(11)内に配備されると共に、ソケット(４)がコネクタ(５)に嵌合した状態にて、爪片(40)は給電体(２)に接して、給電体(２)の開口(10)に向かう移動を規制することを特徴とする収納装置。
【請求項２】
給電体(２)は複数本の電池(20)(20)を含み、電動装置は信号の記録デッキ(３)である請求項１に記載の収納装置。
【発明の詳細な説明】
【０００１】
【発明の属する技術分野】
本発明は、信号の記録デッキと、該記録デッキに給電する給電体を内包した箱体、即ち記録デッキの収納装置に関する。
【０００２】
【従来の技術】
図５は、従来の箱体(１)の背面図であり、図６は図５をＡ方向から見た断面図である。後記の如く、箱体(１)は信号記録装置のキャビネットであり、背面が開口(10)して蓋体(12)により覆われる(図６参照)。箱体(１)内部は、上下３段に仕切られて、中段にハードディスクからなる信号の記録デッキ(３)が、最上段に該記録デッキ(３)に連繋した回路基板(７)が収納される。最下段には、記録デッキ(３)に繋がったコネクタ(５)、及び記録デッキ(３)に給電する給電体(２)が収納される。給電体(２)は、複数本の電池(20)(20)を互いの側面が接するように並べて薄膜にて被覆して構成され、一端部から延びた可撓性の電線(６)の先端にコネクタ(５)に嵌まるソケット(４)を設けている。給電体(２)はソケット(４)を開口(10)に向けて、箱体(１)内に挿入される。ソケット(４)がコネクタ(５)に嵌まり、給電体(２)から記録デッキ(３)に通電される。図６に示すように、給電体(２)と開口(10)との間には、空間(11)が形成され、ソケット(４)がコネクタ(５)に嵌合した状態にて、電線(６)は該空間(11)内に配備される。
【０００３】
【発明が解決しようとする課題】
給電体(２)から記録デッキ(３)に給電するには、ソケット(４)はコネクタ(５)に確実に嵌まり、不用意に抜けないことが必要である。ソケット(４)とコネクタ(５)は従来から多用されているが、このソケット(４)とコネクタ(５)の嵌合を確実にするために、図４に示すように、爪片(40)を揺動可能に設けたソケット(４)が提案されている。これは、先端部に爪片(40)を設けたレバー(41)の中央部とソケット(４)を連結杆(42)にて接続し、レバー(41)及び連結杆(42)は弾性変形可能な合成樹脂から形成される。爪片(40)はコネクタ(５)に設けた突起(50)と係合し、レバー(41)の爪片(40)とは反対側の端部をソケット(４)に向けて押し込むと、レバー(41)は連結杆(42)との接合部を中心に時計方向に回動して、爪片(40)と突起(50)との係合が外れる。
この爪片付きのソケットは、コネクタ(５)との嵌合を確実にできる一方、爪片(40)を設けている故に、ソケット(４)全体が大きくなる。また、ソケット(４)とコネクタ(５)の嵌合を外す際に、レバー(41)の端部を指で押し込むが、この指が入るスペースも必要になる。従って、ソケット(４)が収納される箱体(１)全体が大きくなる虞れがある。箱体(１)は信号記録装置のキャビネットであるから、該装置が大きくなると、市場の要請である装置の小型化に反する。
本発明の目的は、爪片付きのソケットを具えた給電体が配備される箱体を小型化することにある。
【０００４】
【課題を解決する為の手段】
開口(10)と給電体(２)の間には、電線(６)が収納される空間(11)が形成されている。
ソケット(４)又はコネクタ(５)の少なくとも一方には、他方に係合する爪片(40)が係脱自在に設けられ、爪片(40)はソケット(４)がコネクタ(５)に嵌合した状態にて空間(11)内に配備される。
更に、ソケット(４)がコネクタ(５)に嵌合した状態にて、爪片(40)は給電体(２)に接して、給電体(２)の開口(10)に向かう移動を規制する。
【０００５】
【作用及び効果】
従来から、箱体(１)の開口(10)と給電体(２)の間には、電線(６)が収納される空間(11)が形成されている。爪片(40)はソケット(４)がコネクタ(５)に嵌合した状態にて空間(11)内に配備される。ソケット(４)とコネクタ(５)の嵌合を外すには、電線(６)を撓まて避けながら空間(11)内に指を入れ、爪片(40)のソケット(４)又はコネクタ(５)との係合を解除する。
従って、箱体(１)を大きくすることなく、爪片(40)付きのソケット(４)又はコネクタ(５)を具えた給電体(２)を収納することができる。
更に、ソケット(４)がコネクタ(５)に嵌合した状態にて、爪片(40)は給電体(２)に接して、給電体(２)の開口(10)に向かう移動を規制する。これにより、開口(10)を下向きにして箱体(１)を傾けた際にも、給電体(２)は爪片(40)に規制されて、開口(10)から脱落しない。更に、給電体(２)は箱体(１)内にて開口(10)に向かってガタつかない。
【０００６】
【発明の実施の形態】
以下、本発明の一例を図を用いて詳述する。
図３は、箱体(１)を具えた信号記録装置の斜視図である。これは、天井から吊下げ支持される監視カメラ機器であり、箱体(１)の前面に被写体を向くレンズ(15)を、後面に蓋体(12)を夫々設けている。レンズ(15)からの画像は、箱体(１)内の記録デッキ(３)に記録され、箱体(１)は信号記録装置のキャビネットとなる。記録デッキ(３)は、ハードディスクを具えていることを想定しているが、他にビデオデッキ等であってもよい。
図１は、箱体(１)の背面図であり、図２は図１をＡ方向から見た断面図である。箱体(１)の構成は従来と同様であり、箱体(１)の後面開口(10)は、蓋体(12)により覆われる。箱体(１)は上下３段に仕切られて、最下段にはコネクタ(５)、及び給電体(２)が収納される。給電体(２)からは、可撓性の電線(６)が延び、該電線(６)は複数本の細電線を束ねて構成される。電線(６)の先端部には、コネクタ(５)に嵌まるソケット(４)が取り付けられ、該ソケット(４)には爪片(40)を具えたレバー(41)が揺動可能に設けられている。コネクタ(５)の側面には、爪片(40)が嵌まる突起(50)が設けられている。
給電体(２)は記録デッキ(３)のバックアップ用電源であり、通常は外部からのＡＣ電源(図示せず)により給電される。
【０００７】
図２に示すように、給電体(２)は箱体(１)の奥部に押し込まれ、給電体(２)が箱体(１)内に収納された状態にて、後面開口(10)と給電体(２)との間には空間(11)が形成される。給電体(２)から延びた電線(６)は、空間(11)内に収納される。ソケット(４)をコネクタ(５)に挿入すると、爪片(40)と突起(50)が当たって一旦レバー(41)が外向きに弾性変形するが、爪片(40)が突起(50)を通過すると、レバー(41)が弾性復帰して爪片(40)が突起(50)に引掛かり、ソケット(４)がコネクタ(５)に嵌まる。これにより、ソケット(４)とコネクタ(５)との嵌合が確実になり、箱体(１)に外部から衝撃が加わっても、ソケット(４)がコネクタ(５)から外れる虞れは少ない。特に、給電体(２)はバックアップ用電源であり、記録デッキ(３)との電気的接続が容易に外れることがあってはならないので、ソケット(４)に爪片(40)を設けている。
【０００８】
爪片(40)及び突起(50)は、夫々ソケット(４)及びコネクタ(５)の右側に設けられており、前記空間(11)内に配備される。ソケット(４)をコネクタ(５)に嵌める際には、空間(11)内の電線(６)を撓み変形させて電線(６)を避けながら、ソケット(４)を把持した指を空間(11)内に挿入する。ソケット(４)をコネクタ(５)から外すときには、空間(11)内に指を入れる。レバー(41)を指で押して撓ませて、爪片(40)と突起(50)の係合を外して、ソケット(４)を抜く。空間(11)は本来電線(６)を収納するために設けられており、該空間(11)は指を挿入するのに十分な大きさである。
図２に一点鎖線で示すように、仮に、爪片(40)及び突起(50)が、夫々ソケット(４)及びコネクタ(５)の左側に設けられ、空間(11)内に配備されていないと、ソケット(４)及びコネクタ(５)と箱体(１)の側面との間に指を挿入するだけのスペースが必要になる。即ち、箱体(１)の大型化を招来する。斯種信号記録装置は、市場から小型化が要望されており、この市場の要請に鑑みると、装置の大型化は避けるべきである。従って、本例に於ける箱体にあっては、爪片(40)及び突起(50)が電線(６)を収納する空間(11)内に配備されているから、装置の大型化を防止しつつ、ソケット(４)がコネクタ(５)から不用意に外れることを防止することができる。
【０００９】
また、図２に示すように、給電体(２)が箱体(１)内に収納され、ソケット(４)がコネクタ(５)に嵌まった状態では、爪片(40)は給電体(２)に接している。これにより、給電体(２)の開口(10)への不用意な移動は規制され、開口(10)を下向きにして箱体(１)を傾けた際にも、給電体(２)は爪片(40)に規制されて、開口(10)から脱落しない。更に、給電体(２)は箱体(１)内にて開口(10)に向かってガタつかない。
特に、本例に関わる装置は、天井に吊り下げられる装置であり、給電体(２)の交換等の際には、装置を天井に取り付けたまま、蓋体(12)を開くことがある。このとき、給電体(２)が開口(10)から脱落することがあれば、交換作業者に損傷を与える虞れがあるが、本装置では給電体(２)は爪片(40)に規制されて、開口(10)から脱落しないから、このような虞れはない。
【００１０】
本例にあっては、複数本の電池(20)(20)を薄膜にて被覆して給電体(２)としているが、給電体(２)は通常の平形バッテリーでもよい。また、給電体(２)に繋がるには記録デッキ(３)に限らず、これに代えて、電動駆動されるものであればよい。更に、ソケット(４)に爪片(40)を、コネクタ(５)に突起(50)を設けているとしたが、ソケット(４)に突起(50)を、コネクタ(５)に爪片(40)を設けてもよい。また、上記例では箱体(１)内に記録デッキ(３)と給電体(２)を上下に配備しているが、左右に配備してもよい。
【００１１】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】箱体の背面図である。
【図２】図１をＡ方向から見た断面図である。
【図３】箱体を具えた信号記録装置の斜視図である。
【図４】爪片付きのソケットの平面図である。
【図５】従来の箱体の背面図である。
【図６】図５をＡ方向から見た断面図である。
【符号の説明】
(１)  箱体
(２)  給電体
(３)  記録デッキ
(４)  ソケット
(５)  コネクタ
(６)  電線
(10)  開口
(11)  空間
(20)  電池
【図１】
0003691381.tif 000002
【図２】
0003691381.tif 000003
【図３】
0003691381.tif 000004
【図４】
0003691381.tif 000005
【図５】
0003691381.tif 000006
【図６】
0003691381.tif 000007